(57)【要約】      （修正有）【課題】前身ごろのポケットに、釣行に要する釣具が収容された状態で着用者が前かがみ姿勢などになっても装着感が良好で、動き易い釣用衣服の提供。【解決手段】前身ごろと、後身ごろ５と、着用者が腕を通す脇部開口１０とを備えたベスト本体２とを備え、前身ごろにポケット１３が設けられ、脇部開口１０を絞ることを可能とするアジャスト部１５が脇部開口１０の周辺部に設けられ、アジャスト部１５は、脇部開口１０の周辺部に沿って設けられた紐状体１６と、紐状体１６の途中部分に設けられたストッパー１７と、脇部開口１０の周辺部に沿って設けられ紐状体１６の一部を挿通する挿通路１８Ａ、１８Ｂとを備え、紐状体１６は、挿通路に挿通される長さと挿通路から引出される長さとを調節可能に構成され、挿通路から引出された紐状体の長さ方向途中部分がストッパーを介してベスト本体に留められるよう構成されている釣用衣服。【選択図】図２
2011149116.tif 000002
【特許請求の範囲】
【請求項１】
前身ごろと、後身ごろと、着用者が腕を通す脇部開口とを備えたベスト本体とを備え、前記前身ごろにポケットが設けられた釣用衣服において、
前記脇部開口を絞ることを可能とするアジャスト部が脇部開口の周辺部に設けられていることを特徴とする釣用衣服。
【請求項２】
アジャスト部は、脇部開口の周辺部に沿って設けられた紐状体と、該紐状体の途中部分に設けられたストッパーと、前記脇部開口の周辺部に沿って設けられ紐状体の一部を挿通する挿通路とを備え、
前記紐状体は、挿通路に挿通される長さと挿通路から引出される長さとを調節可能に構成され、前記挿通路から引出された紐状体の長さ方向途中部分が前記ストッパーを介してベスト本体に留められるよう構成されていることを特徴とする請求項１記載の釣用衣服。
【請求項３】
挿通路は、脇部開口の周辺部に沿ってベスト本体に縫着された生地から形成され、該生地には、脇部開口の周辺部に沿う途中部分が途切れた途切れ部が設けられ、該途切れ部から紐状体の一部が引出され、該紐状体の引出された部分がストッパーを介してベスト本体に留められていることを特徴とする請求項２記載の釣用衣服。
【請求項４】
途切れ部およびストッパーは、ベスト本体の前身ごろ側に設けられていることを特徴とする請求項３記載の釣用衣服。
【請求項５】
挿通路は、脇部開口の周辺部のうち丈方向下部にのみ設けられていることを特徴とする請求項２ないし請求項４の何れかに記載の釣用衣服。
【請求項６】
アジャスト部は、ベスト本体の裏面側に設けられていることを特徴とする請求項１ないし請求項５の何れかに記載の釣用衣服。
【発明の詳細な説明】
【技術分野】
【０００１】
本発明は、鮎釣り用ベストなど、釣行に着用する釣用衣服に関する。
【背景技術】
【０００２】
この種の釣用衣服として、例えば特許文献１に示すものが提案されている。特許文献１に開示された衣服では、前身ごろから後身ごろに亘る裾に、衣服を着用者の身体にフィットさせるための伸縮部を設けている。
この釣用衣服を着用者が着用するには、脇に相当する部分に形成された開口から着用者が腕を通して、裾の伸縮部を締める。これにより釣用衣服が裾において着用者の身体にフィットして良好な装着感が得られ、しかも動き易いという装着感が得られるようになっている。
【先行技術文献】
【特許文献】
【０００３】
【特許文献１】特開２００１−１６４４０９号公報
【発明の概要】
【発明が解決しようとする課題】
【０００４】
しかしながら、この種の釣用衣服の前身ごろにはポケットが設けられており、このポケットには、釣行に要するタックルなどの釣具が収容される。この釣具には錘など、かなりの重量物も収容される。この場合、着用者が前かがみ姿勢などになった際に、釣具の重さで前身ごろが垂れ下がってしまうことがあり、そうなると釣用衣服が裾において着用者の身体にフィットしていても装着感が低下し、動きづらくなる。
【０００５】
そこで本発明は上記課題に鑑み、前身ごろのポケットに、釣行に要する釣具が収容された状態で着用者が前かがみ姿勢などになっても装着感が良好で、動き易い釣用衣服の提供を目的とする。
【課題を解決するための手段】
【０００６】
本発明の釣用衣服は、前身ごろと、後身ごろと、着用者が腕を通す脇部開口とを備えた衣服本体とを備え、前記前身ごろにポケットが設けられ、前記脇部開口を絞ることを可能とするアジャスト部が脇部開口の周辺部に設けられていることを特徴としている。
【０００７】
上記構成によれば、着用者が衣服を着用し、アジャスト部を操作して着用者の脇周りに脇部開口をフィットさせておくことで、ポケットに釣具を収納することでその重量が衣服本体に働いた状態で、衣服の着用者が前かがみ姿勢などになっても、衣服本体はポケットに近い位置にある着用者の脇周りでアジャストさせているから、釣具の重さで前身ごろが垂れ下がってしまうといった状態を発生させず、装着感が良好で、動き易い。
【０００８】
本発明の釣用衣服では、アジャスト部は、脇部開口の周辺部に沿って設けられた紐状体と、該紐状体の途中部分に設けられたストッパーと、前記脇部開口の周辺部に沿って設けられ紐状体の一部を挿通する挿通路とを備え、前記紐状体は、挿通路に挿通される長さと挿通路から引出される長さとを調節可能に構成され、前記挿通路から引出された紐状体の長さ方向途中部分が前記ストッパーを介して衣服本体に留められるよう構成されていることを特徴としている。
【０００９】
上記構成によれば、挿通路から紐状体の一部を引出すようにして挿通路内にある紐状体の長さを調節し、脇部開口を絞ることで着用者の体格に合わせてその脇周りに脇部開口をフィットさせ、挿通路から引出した紐状体はその長さ方向途中部分をストッパーによって衣服本体に留めることで、脇部開口を着用者の脇周りにフィットした状態が保持される。
【００１０】
本発明の釣用衣服では、挿通路は、脇部開口の周辺部に沿って衣服本体に縫着された生地から形成され、該生地には、脇部開口の周辺部に沿う途中部分が途切れた途切れ部が設けられ、該途切れ部から紐状体の一部が引出され、該紐状体の引出された部分がストッパーを介して衣服本体に留められていることを特徴としている。
【００１１】
上記構成によれば、途切れ部から紐状体の一部を引出し、紐状体の引出された部分を、ストッパーを介して衣服本体に留めることで、脇部開口を着用者の脇周りにフィットした状態が保持される。
【００１２】
本発明の釣用衣服では、途切れ部およびストッパーは、衣服本体の前身ごろ側に設けられていることを特徴としている。
上記構成のように、途切れ部およびストッパーが前身ごろ側に設けられている構成によれば、着用者が釣用衣服を着用した状態でのアジャスト部の操作がし易い。
【００１３】
本発明の釣用衣服では、挿通路は、脇部開口の周辺部のうち丈方向下部にのみ設けられていることを特徴としている。
上記構成によれば、挿通路は、脇部開口の周辺部のうち丈方向下部にのみ設けられていても、アジャスト部を操作することで、脇部開口が着用者の脇周り全体でフィットさせられる。
【００１４】
本発明の釣用衣服では、アジャスト部は、衣服本体の裏面側に設けられていることを特徴としている。
上記構成のように、アジャスト部を衣服本体の裏面側に設けることにより、これが釣行において邪魔にならない。
【発明の効果】
【００１５】
本発明の釣用衣服は、衣服本体の脇部開口を絞ることを可能とするアジャスト部が脇部開口の周辺部に設けられているから、着用者が衣服を着用し、アジャスト部を操作して着用者の脇周りに脇部開口をフィットさせておくことで、衣服本体の前身ごろに設けたポケットに、釣具を収納することでその重量が衣服本体に働いた状態で衣服の着用者が前かがみ姿勢などになっても、衣服本体はポケットに近い位置にある着用者の脇周りでアジャストさせているから、釣具の重さで前身ごろが垂れ下がってしまうといった状態が発生するのを防止することができ、したがって装着感が良好で、動き易い。
【図面の簡単な説明】
【００１６】
【図１】本発明の実施形態に係る鮎釣用ベストの正面図
【図２】同じく左前身ごろを開いてアジャスト部を露出させた状態の斜視図
【図３】同じくアジャスト部を操作して脇部開口を絞った状態の拡大斜視図
【図４】同じく図２におけるＹ−Ｙ線断面矢視図
【図５】同じく図２におけるＺ−Ｚ線断面矢視図
【図６】同じく装着状態の側面図
【発明を実施するための形態】
【００１７】
以下、本発明の実施形態に係る釣用衣服を、鮎釣用ベストを例に図面に基づいて説明する。図１は鮎釣用ベストの正面図、図２は左前身ごろを開いてアジャスト部を露出させた状態の斜視図、図３はアジャスト部を操作して脇部開口を絞った状態の拡大斜視図、図４は図２におけるＹ−Ｙ線断面矢視図、図５は図２におけるＺ−Ｚ線断面矢視図、図６は装着状態の側面図である。
【００１８】
図１および図２に示すように、鮎釣用ベスト（以下単に「ベスト」と称す）１は、ベスト本体２が、右前見ごろ３と、左前身ごろ４と、左右の前身ごろ３，４どうしをその後部で亙して縫着された後身ごろ５とを備えてなる。左右の前身ごろ３，４は、スライドファスナー６によって開閉自在に構成されている。
ベスト本体２は、撥水加工や防水加工などの浸水対策加工が施された本体構成生地７の裏側に、メッシュ裏地８が設けられてなり、本体構成生地７には、緩衝材９が内装されている。
【００１９】
左右の前身ごろ３，４と後身ごろ５との間（連続部分）で丈方向上部、すなわち高さ方向上部に、着用者Ｈが腕Ａを通す脇部開口１０がそれぞれ形成されている。これら脇部開口１０の縁には、補強生地１１が全周に亙って縫着されている。
左右の前身ごろ３，４には、それぞれ釣具を収容するためのポケット１２，１３が設けられている。この場合、ポケット１２，１３は左右の前身ごろ３，４にそれぞれ丈方向に並べて複数個設けられている。
【００２０】
図２および図３に示すように、脇部開口１０を絞ることを可能とするアジャスト部１５が、各脇部開口１０の周辺部で、ベスト本体２の裏面側の前身ごろ３，４寄りに設けられている。
アジャスト部１５は、脇部開口１０の周辺部に沿って設けられた一本の紐状体１６と、紐状体１６の途中部分に設けられたストッパー１７（紐留め）と、脇部開口１０の周辺部に沿って設けられ紐状体１６の一部を挿通する挿通路１８Ａ，１８Ｂとを備えている。
【００２１】
挿通路１８Ａ，１８Ｂは、例えば図５に示すように、脇部開口１０の周辺部に沿ってベスト本体２の裏側に縫着された、帯状の挿通路用生地２０から形成され、挿通路１８Ａ，１８Ｂは、脇部開口１０の周辺部のうち丈方向下部（下側寄り）にのみ設けられ、挿通路用生地２０には、脇部開口１０の周辺部に沿う途中部分が途切れて、途切れ部領域２１が設けられている。
この途切れ部領域２１は、左右の前身ごろ３，４と後身ごろ５との縫着部を跨ぐようになっている。換言すれば、挿通路１８Ａ，１８Ｂは、左右の前身ごろ３，４のそれぞれと、後身ごろ５に分割されて設けられている。
【００２２】
紐状体１６は、それ自体が伸縮可能なゴム製の紐から構成されている。紐状体１６は、挿通路１８Ａ，１８Ｂに挿通される長さと、挿通路１８Ａ，１８Ｂから引出される長さとを、ストッパー１７によって調節可能に構成されている。すなわち、紐状体１６の両方の先端部１６ａは、それぞれ各挿通路１８Ａ，１８Ｂ内の上端部（最奥部）にまで至って、本体構成生地７の裏側に縫着され、紐状体１６の長さ方向途中部分２２が途切れ部領域２１から引出され、長さ方向途中部分２２がストッパー１７を挿通し、ストッパー１７を介してベスト本体２に留められるよう構成されている。
【００２３】
ストッパー１７は、種々の公知のものを採用できる。ここでは、紐留めと称されるものを用いており、紐状体１６の長さ方向途中部分２２が通る孔１７ａを有し、孔１７ａを通る紐状体１６を、孔１７ａの周面に出退するバネ部材２３で固定するタイプのものである。
このストッパー１７の構成において、バネ部材２３よる押圧力で引出量を維持でき、且つバネ部材２３を孔１７ａに向けて押すと押圧力が解除され、紐状体１６が孔１７ａを自由に通ることができて、途切れ部領域２１からの紐状体１６の引出量を可変できる構造を有している。
ストッパー１７の胴の一部に、生地からなる保持帯体２４が挿通され、保持帯体２４の端部が本体構成生地７の裏側に縫着されている。この構成によりストッパー１７は、生地である保持帯体２４が許容する範囲内において、位置的自由度が付与されている。
【００２４】
図２ないし図４に示すように、ベスト１には、紐状体１６の長さ方向途中部分２２を挿通させて、長さ方向途中部分２２の位置を安定させる保持部材２５が設けられている。保持部材２５は、伸縮性生地を丈方向に所定の長さを有したループ状にして、伸縮性生地の端部を、左右の前身ごろ３，４と後身ごろ５の縫着部分に重ねて縫着してなる。
【００２５】
保持部材２５の中心孔２５ａを挿通した紐状体１６の長さ方向途中部分２２が、中心孔２５ａから抜出るのを防止する硬質の環状体２６が、紐状体１６の長さ方向途中部分２２のループ部２２ａに係止している。この環状体２６の直径は中心孔２５ａよりも大きく設定されている。
【００２６】
上記構成において、図６に示すように、着用者Ｈが各脇部開口１０に左右の腕Ａをそれぞれ通し、スライドファスナー６を閉めて着用するものである。
このベスト１には、脇部開口１０を絞ることを可能とするアジャスト部１５が備えられている。このアジャスト部１５を操作して脇部開口１０を絞るには、例えば次のようにして行う。
すなわち、着用者Ｈがその手指で、ストッパー１７のバネ部材２３をその弾性に抗して押圧することで、孔１７ａの径を広げて、紐状体１６に対するバネ部材２３での規制を解除し、途切れ部領域２１に露出している紐状体１６の長さ方向途中部分２２をさらに引出す。
このとき、例えば着用者Ｈは、その片方の手指でバネ部材２３を押圧し、別の片方の手指で紐状体１６の長さ方向途中部分２２をさらに引出すようにすると、途切れ部領域２１が自ずとストッパー１７に近付く。
あるいは、着用者Ｈが片手の手指を環状体２６に引っ掛けて引くようにすると、ストッパー１７が保持部材２５まで引かれて移動することで、ストッパー１７が保持部材２５に係止して、紐状体１６のみがさらに引かれて、脇部開口１０を絞ることが可能になる。
【００２７】
さらに紐状体１６の長さ方向途中部分２２を引出すと、挿通路用生地２０の、紐状体１６が導出されている開口部分が、ストッパー１７に接触するようになって、脇部開口１０が絞られる。別の片方の手指で紐状体１６の長さ方向途中部分２２を引出すとき、環状体２６を把持してこれを引くことで容易にできる。
また、アジャスト部１５は、各脇部開口１０の周辺部で、ベスト本体２の裏面側の前身ごろ３，４寄りに設けられているから、着用者Ｈがベスト１のスライドファスナー６を閉める前の装着状態でのアジャスト部１５の操作がし易い。そして、ストッパー１７のバネ部材２３の押圧を解除すれば、途切れ部領域２１から引出されている紐状体１６の長さが保持される。すなわち、脇部開口１０が絞られた状態を保持することができる。
上記のようにして左右のアジャスト部１５を操作して、着用者Ｈの体型に合うように脇部開口１０を絞り、スライドファスナー６を閉じることで、ベスト１を装着することができる。
【００２８】
ところで、ポケット１２，１３には錘などの釣具が収容される。ポケット１２，１３に釣具が収容された状態で、着用者Ｈが前かがみ姿勢などになった際に、釣具の重さで前身ごろ３，４が垂れ下がる方向に力が働く。
しかしながら、このベスト１ではアジャスト部１５によって、脇部開口１０を着用者Ｈの脇にフィットさせている。このため、着用者Ｈの脇と脇部開口１０とに隙間がほとんどないから、釣具の重さで前身ごろ３，４が垂れ下がる方向に力が働いても、前身ごろ３，４が垂れ下がらず、ベスト１の装着感が良好であるとともに動き易さを維持することができる。
【００２９】
特にポケット１２，１３が丈方向に並べてある場合では、上のポケット１２に重量のある釣具を収容して前かがみになると前身ごろ３，４が垂れ下がり易い状態がつくられるが、アジャスト部１５は脇部開口１０にあって、上のポケット１２に近い位置にあるから、上のポケット１２に重量のある釣具を収容して前かがみになっても、前身ごろ３，４が垂れ下がりにくい。
【００３０】
上記実施形態では、アジャスト部１５の挿通路１８Ａ，１８Ｂは、脇部開口１０の周辺部のうち丈方向下部にのみ設けたがこれに限定されず、脇部開口１０の周辺部全域に亙って設けて、紐状体１６を挿通してもよい。この場合も、途切れ部領域２１は設ける。また、紐状体１６はその途中部分の一箇所をベスト本体２に縫着することが好ましい。
【００３１】
また、上記実施形態では、挿通路１８Ａ，１８Ｂを途切れ部領域２１を介して振分けたがこれに限定されず、挿通路１８Ａ，１８Ｂのうち、何れか一方の挿通路のみを設けて、これに紐状体１６を挿通するよう構成することも可能である。
また、上記実施形態では、紐状体１６は一本物としたが、挿通路１８Ａ，１８Ｂにそれぞれ挿通する紐状体としてもよい。
さらに、紐状体１６はそれ自体に伸縮性を有するものでなくともよい。
【符号の説明】
【００３２】
１…ベスト、２…ベスト本体、６…スライドファスナー、７…本体構成生地、８…メッシュ裏地、１０…脇部開口、１１…補強生地、１２，１３…ポケット、１５…アジャスト部、１６…紐状体、１７…ストッパー、１８Ａ，１８Ｂ…挿通路、２０…挿通路用生地、２１…途切れ部領域、２４…保持帯体、２５…保持部材、２６…環状体、Ａ…腕、Ｈ…着用者
【図１】
2011149116.tif 000003
【図２】
2011149116.tif 000004
【図３】
2011149116.tif 000005
【図４】
2011149116.tif 000006
【図５】
2011149116.tif 000007
【図６】
2011149116.tif 000008